(57)【要約】【課題】損紙の発生要因ごとに損紙の数量をカウントすることのできる員数カウント装置を提供する。【解決手段】員数カウント装置１は、オフセット輪転印刷機の各部の状態を示す状態信号（例えば、紙継ぎ信号）の一つ、または、複数の状態信号の組み合わせによって損紙の発生要因（例えば、紙継ぎ）を定義した損紙発生条件が複数記述されている損紙振分け条件表１１０を予め記憶している。そして、員数カウント装置１は、稼動中のオフセット輪転印刷機から入力される状態信号を処理し、損紙振分け条件表１１０に記述されている損紙発生条件が成立している間に使用した印刷用紙の数量を、折胴の回転を検出するエンコーダの信号を用いてカウントすることで、損紙発生条件で定義されている発生要因で生じた損紙の数量をカウントする。【選択図】図３
2007152771.tif 000002
【特許請求の範囲】
【請求項１】
オフセット印刷機で印刷中に発生する損紙の数量をカウントする員数カウント装置であって、前記員数カウント装置は、オフセット印刷機の各部の状態を示す信号（状態信号）の一つ、あるいは、複数の前記状態信号の論理的な組み合わせで損紙の発生要因を定義した損紙発生条件を記憶し、更に、前記員数カウント装置は、稼動中のオフセット印刷機から入力される前記状態信号を処理し、前記損紙発生条件ごとに、前記損紙発生条件が成立している間にオフセット印刷機が使用した印刷用紙の数量をカウントすることで、それぞれの前記損紙発生条件に対応する損紙の数量をカウントする手段を備えていることを特徴とする員数カウント装置。
【請求項２】
請求項１に記載の員数カウント装置において、前記員数カウント装置は、オフセット印刷機が使用した印刷用紙の総数量をカウントする手段を備えていることを特徴とする員数カウント装置。
【請求項３】
請求項２に記載の員数カウント装置において、前記員数カウント装置は、前記員数カウント装置の外部から入力される印刷予定数量と、オフセット印刷機が使用した印刷用紙の数量と、カウントしたそれぞれの損紙の数量を合算した数量とから、前記損紙発生条件が定義されていない発生要因によって発生した損紙の数量を算出する手段を備えていることを特徴とする員数カウント装置。
【請求項４】
請求項１から請求項３のいずれかに記載の員数カウント装置において、前記員数カウント手段は、オフセット印刷機に備えられた一つのローラの回転数を検出するエンコーダの信号を用いて、オフセット印刷機が使用した印刷用紙の数量をカウントすることを特徴とする員数カウント装置。
【請求項５】
オフセット印刷機で印刷中に発生する損紙の数量をカウントする員数カウント方法であって、オフセット印刷機の各部の状態を示す信号（状態信号）の一つ、あるいは、複数の前記状態信号の論理的な組み合わせで損紙の発生要因を定義した損紙発生条件を予め定め、稼動中のオフセット印刷機から入力される前記状態信号を処理し、前記損紙発生条件ごとに、前記損紙発生条件が成立している間にオフセット印刷機が使用した印刷用紙の数量をカウントすることで、それぞれの前記損紙発生条件に対応する損紙の数量をカウントすることを特徴とする員数カウント方法。
【発明の詳細な説明】
【技術分野】
【０００１】
本発明は、オフセット印刷機の生産管理に使用されるための装置であって、更に詳しくは、損紙の発生要因ごとに損紙の数量を自動でカウントするための装置に関するものである。
【背景技術】
【０００２】
オフセット輪転印刷機の生産管理を行う上で、正紙と損紙の員数を管理することは必要不可欠であり、従来、正紙と損紙の員数管理は、オフセット輪転印刷機のオペレータが、巻取に表示されている印刷用紙の数量と、実際に刷り上った正紙の数量とから、損紙の数寮を算出して所定の記録用紙に記録することで行われていた。
【０００３】
しかし、巻取に表示されている印刷用紙の数量が不正確な値であったり、オペレータが手動で員数管理を行うと生産の阻害要因になるため、簡素化された手段で、正確に員数管理を行う発明も開示されている（例えば、特許文献１）。
【０００４】
特許文献１で開示されている発明は、オフセット輪転印刷機に回転数信号発生機構（例えば、エンコーダ）を付設することで、オフセット輪転印刷機が使用した印刷用紙の数量を算出し、正紙を搬出するパレタイズロボットのパレタイズ信号から正紙の数量枚数を算出し、印刷用紙の数量と正紙の数量とから自動的に損紙枚数を算出する装置である。
【特許文献１】特開平６−４７９０４号公報
【発明の開示】
【発明が解決しようとする課題】
【０００５】
特許文献１で開示されている発明を用いれば、オフセット輪転印刷機に回転数信号発生機構を付設することで、オフセット輪転印刷機が使用した印刷用紙の正確な数量を算出し、また、オフセット輪転印刷機から搬出された正紙の数量をスタッカバンドラーが結束した数量もしくはパレタイズロボットが積載した数量から算出することで、正確な正紙の数量と損紙の数量を算出できるようになるが、この技術で把握できる損紙の数量は、ある品目における損紙の総数量であり、損紙の発生要因（例えば、紙継ぎやブランケット洗浄など）ごとに損紙の数量を把握できない問題があった。
【０００６】
上述した問題を鑑みて、本発明は、オフセット輪転印刷機が使用した印刷用紙の正確な数量をカウントすると共に、損紙の発生要因（例えば、紙継ぎやブランケット洗浄など）ごとに損紙の数量をカウントすることのできる員数カウント装置および員数カウント方法を提供することを目的とする。
【課題を解決するための手段】
【０００７】
上述した課題を解決する第１の発明は、オフセット印刷機で印刷中に発生する損紙の数量をカウントする員数カウント装置であって、前記員数カウント装置は、オフセット印刷機の各部の状態を示す信号（状態信号）の一つ、あるいは、複数の前記状態信号の論理的な組み合わせで損紙の発生要因を定義した損紙発生条件を記憶し、更に、前記員数カウント装置は、稼動中のオフセット印刷機から入力される前記状態信号を処理し、前記損紙発生条件ごとに、前記損紙発生条件が成立している間にオフセット印刷機が使用した印刷用紙の数量をカウントすることで、それぞれの前記損紙発生条件に対応する損紙の数量をカウントする手段を備えていることを特徴とする。
【０００８】
第１の発明において、オフセット印刷機の各部の状態を示す前記状態信号とは、折部の折り胴が回転していることを示す折クラッチ信号、版胴同士が接し印刷していることを示す版胴着信号、紙継ぎ動作が実行されたことを示す紙継ぎ信号、ブランケット洗浄機が動作し、ブランケット洗浄が実行中であることを示すブランケット洗浄信号、乾燥部前などに設置された紙切れセンサーが紙切れを検出していることを示す紙切れ信号、コンベアがリジェクト状態で、折られた印刷物がゴミ箱に排出中であることを示すリジェクト信号、スタバンが折られた印刷物をカウントし結束している状態であることを示すスタバン信号などを意味する。
【０００９】
更に、第２の発明は、第１の発明に記載の員数カウント装置において、前記員数カウント装置は、オフセット印刷機が使用した印刷用紙の総数量をカウントする手段を備えていることを特徴とする。
【００１０】
更に、第３の発明は、第２の発明に記載の員数カウント装置において、前記員数カウント装置は、前記員数カウント装置の外部から入力される印刷予定数量と、オフセット印刷機が使用した印刷用紙の数量と、カウントしたそれぞれの損紙の数量を合算した数量とから、前記損紙発生条件が定義されていない発生要因によって発生した損紙の数量を算出する手段を備えていることを特徴とする。
【００１１】
更に、第４の発明は、第１の発明から第３の発明のいずれかに記載の員数カウント装置において、前記員数カウント手段は、オフセット印刷機に備えられた一つのローラの回転数を検出するエンコーダの信号を用いて、オフセット印刷機が使用した印刷用紙の数量をカウントすることを特徴とする。
【００１２】
更に、第５の発明は、オフセット印刷機で印刷中に発生する損紙の数量をカウントする員数カウント方法であって、前記員数カウント方法は、オフセット印刷機の各部の状態を示す信号（状態信号）の一つ、あるいは、複数の前記状態信号の論理的な組み合わせで損紙の発生要因を定義した損紙発生条件を予め定め、稼動中のオフセット印刷機から入力される前記状態信号を処理し、前記損紙発生条件ごとに、前記損紙発生条件が成立している間にオフセット印刷機が使用した印刷用紙の数量をカウントすることで、それぞれの前記損紙発生条件に対応する損紙の数量をカウントすることを特徴とする。
【発明の効果】
【００１３】
上述した本発明によれば、印刷工程で発生する損紙の発生要因ごとに前記損紙発生条件を予め定義し、オフセット印刷機の各部の状態が前記損紙発生条件と一致した間に、オフセット印刷機が使用した印刷用紙の数量をカウントすることで、損紙の発生要因ごとに損紙の数量を自動でカウントすることができる。
【００１４】
更に、オフセット印刷機の回転数からオフセット印刷機が使用した印刷用紙の数量をカウントすることで、印刷用紙の数量を正確にカウントできるばかりか、印刷用紙の数量−正紙の数量（印刷予定数量）を算出することで損紙の総数量を把握できたり、また、前記損紙発生条件が定義されていない発生要因で発生する損紙の数量をも算出できる。
【発明を実施するための最良の形態】
【００１５】
ここから、図を参照しながら、オフセット輪転印刷で使用した印刷用紙の総数量や、損紙の発生要因ごとに損紙の数量をカウントするために設置される員数カウント装置１について説明する。図１は、本発明に係る員数カウント装置１を備えたオフセット輪転印刷機２を説明する図である。
【００１６】
図１で示したオフセット輪転印刷機２では、給紙部２０から供給される印刷用紙のテンションがインフィード部２１で調整された後、印刷用紙は４つの印刷ユニット２２ａ~２２ｄで印刷される。印刷された印刷用紙は、乾燥部２３で乾燥されて、冷却部２４で冷却された後、折部２５で折断裁加工され排出される。そして、折り加工された印刷用紙は、損紙をゴミ箱２７に排出するリジェクト機能を備えたコンベア２６でスタッカーバンドラー（以下、スタバン）２８へ搬送され、スタバン２８で一定数量ごとに結束される。
【００１７】
オフセット輪転印刷機２のそれぞれの印刷ユニット２２ａ~２２ｄには、自動でブランケットを洗浄する装置であるブランケット洗浄装置３４が設置され、また、オフセット輪転印刷機２の本体とは別置きで、オフセット輪転印刷機２を制御するために必要な電気機器が取り付けられた印刷機制御盤３０と、オフセット輪転印刷機２のオペレータが遠隔でオフセット輪転印刷機２を操作するための作業台３１が設置されている。
【００１８】
更に、ＬＡＮ３３（Local Area Network）を経由して、作業台３１は生産管理システム３２に接続され、生産管理システム３２から作業台には、一品目ごとの生産予定数量や印刷仕様などの情報が送信される。
【００１９】
図２は、オフセット印刷の一連の工程で発生する損紙を説明するための図である。前品目が刷了したときに実施される刷了工程では、帳票への記入に加えて、ブランケット洗浄や次品目で使用される印刷版・印刷用紙への交換が行われる。
【００２０】
この刷了工程では、ブランケット洗浄で発生するブランケット洗浄損紙や、オフセット輪転印刷機２内に残っている前品目の印刷物・印刷途中の印刷用紙、印刷用紙交換後の折不良の印刷用紙などが刷了損紙となり、損紙はコンベア２６のリジェクト機能によって、ゴミ箱２７に排出される。
【００２１】
刷了工程が終了すると、刷り出し工程が実施される。この刷り出し工程では、見当調整や色調調整などを行う色合わせ作業や、絵柄と折り位置とを合わせる折り合わせ作業が行われ、この刷り出し工程中において印刷された印刷用紙には色調不良や折り不良などが発生しているため、すべて刷り出し損紙となり、損紙はコンベア２６のリジェクト機能によって、ゴミ箱２７に排出される。
【００２２】
刷り出し工程が終了すると、正紙を印刷する印刷工程に移行する。この工程では、正紙はコンベア２６によってスタバン２８へ搬送され、スタバン２８で一定数量ごとに結束される。
しかし、一品目の印刷中には、数回から数十回の紙継ぎ（ペースター）が実行され、紙継ぎによって色調不良・折り不良が発生するため、紙継ぎによって発生した紙継ぎ損紙は、コンベア２６のリジェクト機能によって、ゴミ箱２７に排出される。
【００２３】
また、印刷工程中にある程度の数量の印刷を行うと、インキや紙の成分がブランケット上に堆積して、インキの転移不良が発生するため、一定数量の印刷を行う毎にブランケット洗浄装置３４を用いてブランケット洗浄作業が行われる。ブランケット洗浄中の印刷物は、当然のことながら正紙とは成り得ないので、ブランケット洗浄中の印刷物はブランケット洗浄損紙となり、コンベア２６のリジェクト機能によって、ゴミ箱２７に排出される。そして、生産予定数量の印刷が刷了すると、再度、上述している刷了工程が実行される。
【００２４】
これまで述べた損紙に加え、用紙不良やオペレータの作業ミスなどに起因し、様々な損紙が偶発的に発生する。例えば、印刷工程中の紙継ぎに失敗したときに発生する紙継ぎ失敗損紙であるとか、乾燥部での乾燥不良によって紙が断紙したときに発生する断紙損紙などである。
【００２５】
このように、オフセット輪転印刷機２の稼動状況の中では、様々な要因によって損紙が発生するため、図１で示したオフセット輪転印刷機２には、発生要因ごとに損紙の数量を自動でカウントする員数カウント装置１が備えられている。
【００２６】
員数カウント装置１には、ペースタ信号などオフセット印刷機の各部の状態を示す信号（以下、状態信号）が印刷機制御盤から複数入力され、入力された状態信号に基づいて、オフセット輪転印刷機１が使用した印刷用紙の総数量と、発生要因ごとの損紙の数量を自動的にカウントする。
【００２７】
図１のオフセット輪転印刷機２には、オフセット輪転印刷機２が使用した印刷用紙の数量を員数カウント装置１がカウントするために、折部２５の折胴２５ａの回転を検出するエンコーダ３５が設置され、エンコーダ３５が出力するエンコーダ信号が印刷機制御盤３０を介して員数カウント装置１に入力される。
【００２８】
員数カウント装置１は、エンコーダ３５が出力するエンコーダ信号を利用して、ある期間内にオフセット輪転印刷機２が回転した数をカウントし、ある期間内にオフセット輪転印刷機２が使用した印刷用紙の数量（例えば、Ｂ横全般の枚数）をカウントする。
【００２９】
更に、員数カウント装置１は、オフセット印刷機２の各部の状態を示す状態信号一つ、または、複数の状態信号の組み合わせで損紙の発生要因（例えば、紙継ぎ）を定義した損紙発生条件を記憶し、稼動中のオフセット輪転印刷機２から入力される状態信号を処理し、定義した損紙発生条件が成立している間に使用した印刷用紙の数量をカウントすることで、損紙発生条件で定義されている発生要因で生じた損紙の数量をカウントする。
【００３０】
そして、員数カウント装置１が、ブランケット洗浄や紙継ぎ等の複数の損紙発生条件が記述された損紙振分け条件表を記憶し、損紙振分け条件表１１０に記述された各損紙発生条件が成立したときに使用した印刷用紙の数量をカウントすることで、損紙発生条件で定義した発生要因ごとに損紙の数を集計することができる。
【００３１】
図３は、上述した員数カウント装置１のブロック図である。本実施の形態では、員数カウント装置１はシーケンサーを利用して実現され、員数カウント装置１は、多接点の入力インターフェース１２、コンピュータなどへの出力インターフェース１３、演算部１０およびプログラム部１１を備えている。
【００３２】
員数カウント装置１は、複数の状態信号、エンコーダ信号、刷了信号および生産予定数量とから、一品目あたりに使用した印刷用紙の総数量と、損紙の数量をカウントし、カウントしたそれぞれの数量を出力インターフェース１３から出力する。
【００３３】
本実施の形態において、員数カウント装置１の入力インターフェース１２には、オフセット輪転印刷機２の各部の状態を示す状態信号として、折部２５の折り胴２５ａが回転し、オフセット輪転印刷機２に用紙が給紙されていることを示す折クラッチ信号、版胴同士が接し印刷していることを示す版胴着信号、紙継ぎ動作が実行されたことを示す紙継ぎ信号、ブランケット洗浄装置３４が動作し、ブランケット洗浄が実行中であることを示すブランケット洗浄信号、乾燥部２３の前などに設置された紙切れセンサーが紙切れを検出していることを示す紙切れ信号、コンベア２６がリジェクト状態で、折られた印刷物がゴミ箱２７に排出中であることを示すリジェクト信号、スタバン２８が刷本をカウントし結束している状態であることを示すスタバン信号が入力される。
【００３４】
更に、上述した状態信号に加え、折部２５の折胴２５ａの回転を示すエンコーダ信号と、生産予定数量の印刷が完了し印刷版を交換してもよいことをオフセット輪転印刷機２に通知するために、オペレータが刷了ボタンを押したことを示す刷了信号と、作業台３１から生産予定数量とが、員数カウント装置１の入力インターフェース１２に入力される。
【００３５】
なお、員数カウント装置１の入力インターフェース１２に入力されるこれら信号は、員数カウント装置１の入力インターフェース１２に入力する信号の一例にしか過ぎない。集計する損紙の種別に応じて、員数カウント装置１に入力する信号は選択され、必要とあれば、センサ・検査機などの信号を発生する機器がオフセット輪転印刷機２に設置される。
【００３６】
員数カウント装置１の演算部１０は、入力インターフェース１２に入力される状態信号を参照し、プログラム部１１に予め定められた損紙発生条件が成立している間に使用した印刷用紙の数量をカウントし、一品目の印刷が終了したときに、各損紙発生条件で発生した損紙の数量や一品目で使用した印刷用紙の総数量などの情報を、出力インターフェース１３を介して、作業台３１などに出力する。
【００３７】
プログラム部１１には、演算部１０が損紙をカウントするときの条件となる複数の損紙発生条件が記述された損紙振分け条件表１１０が記憶されている。本実施の形態では、員数カウント装置１をシーケンサーで実現しているため、損紙振分け条件表１１０に含まれるすべての損紙発生条件はラダー図で表現される。員数カウント装置１を一般的なコンピュータで実現するときは、データテーブルの形式で損紙振分け条件表１１０を記憶するとよい。
【００３８】
図４は、プログラム部１１に記憶される損紙振分け条件表１１０の一例を示した図である。図４の損紙振分け条件表１１０においては、損紙の発生要因として、刷了、刷り出し、紙継ぎ、ブランケット洗浄、断紙および紙継ぎ失敗をそれぞれ定義した損紙発生条件と、オフセット輪転印刷機２が使用した印刷用紙の総数量をカウントするための条件が定義され、員数カウント装置１は損紙振分け条件表１１０を参照することで、損紙刷了損紙、刷り出し損紙、紙継ぎ損紙、ブランケット洗浄損紙、断紙損紙および紙継ぎ失敗損紙のそれぞれの数量と、オフセット輪転印刷機２が使用した印刷用紙の総数量とをカウントすることができる。
【００３９】
損紙振分け条件表１１０に含まれる一つの損紙発生条件は、損紙の発生要因を定義するために選択された状態信号と、選択された状態信号の入力条件（正論理または負論理）とで定義される。
【００４０】
図５は、オフセット輪転印刷機２が使用した印刷用紙の総数量をカウントするラダー図の一例である。図４の損紙振分け条件表１１０によれば、オフセット輪転印刷機２が使用した印刷用紙の総数量とをカウントするための条件に使用される状態信号は、折クラッチ信号（正論理）のみであるため、員数カウント装置１は、オフセット輪転印刷機２が使用した印刷用紙の総数量として、折クラッチ信号がＯＮの間に使用した印刷用紙の数量をカウントする。
【００４１】
図６は、ブランケット洗浄によって生じるブランケット洗浄損紙をカウントするラダー図の一例である。ブランケット洗浄損紙の損紙発生条件を定義するときに利用される状態信号は、折クラッチ信号（正論理）、版胴着信号（負論理）、ブランケット洗浄信号（正論理）および紙切れ信号（負論理）であるため、折クラッチ信号がＯＮ、かつ、版胴着信号がＯＦＦ、かつ、ブランケット洗浄装置信号がＯＮ、かつ、紙切れセンサ信号がＯＦＦの状態であるときに、員数カウント装置１は、オフセット輪転印刷機２に使用した印刷用紙の数量をブランケット洗浄損紙としてカウントする。
【００４２】
ここから、員数カウント装置１が損紙振分け条件表１１０に基づいて、損紙をカウントする動作について詳細について詳細に説明する。図７は、一品目内で使用した印刷用紙の総数量刷了損紙、刷り出し損紙、ブランケット洗浄損紙および紙継ぎ損紙の数量をそれぞれカウントする内容を説明する図である。
【００４３】
図７に示したように、生産予定数量の印刷が完了し、印刷版を交換してもよい状態にあることは刷了信号で示されるため、１品目における印刷用紙の総数量および損紙の数量は、刷了信号から刷了信号間でカウントされる。
【００４４】
上述したように、１品目中内で使用した印刷用紙の総数量は、折クラッチ信号がＯＮである区間、すなわち区間Ａ１と区間Ａ２でそれぞれカウントされた印刷用紙の数量になる。
【００４５】
また、図４で示した損紙振分け条件表１１０によれば、刷了損紙の数量は、折クラッチ信号がＯＮ、かつ、版胴着信号がＯＦＦ、かつ、紙継ぎ信号がＯＦＦ、かつ、ブランケット洗浄信号がＯＦＦ、かつ、紙切れ信号がＯＦＦ、かつ、スタバン信号ががＯＦＦである区間、すなわち、区間Ｂ１、区間Ｂ２および区間Ｂ３でそれぞれカウントされた印刷用紙の数量になる。
【００４６】
また、図４で示した損紙振分け条件表１１０によれば、刷り出し損紙の数量は、折クラッチ信号がＯＮ、かつ、版胴着信号がＯＮ、かつ、紙継ぎ信号がＯＦＦ、かつ、ブランケット洗浄信号がＯＦＦ、かつ、紙切れ信号がＯＦＦ、かつ、スタバン信号ががＯＦＦである区間、すなわち、区間Ｄ１でカウントされた印刷用紙の数量になる。
【００４７】
また、図４で示した損紙振分け条件表１１０によれば、ブランケット洗浄損紙の数量は、折クラッチ信号がＯＮ、かつ、版胴着信号がＯＦＦ、かつ、ブランケット洗浄信号がＯＮ、かつ、紙切れセンサ信号がＯＦＦである区間、すなわち、区間Ｃ１でカウントされた印刷用紙の数量になる。
【００４８】
また、図４で示した損紙振分け条件表１１０によれば、紙継ぎ損紙の数量は、折クラッチ信号がＯＮ、かつ、紙継ぎ信号がＯＮ、かつ、ブランケット洗浄信号がＯＦＦ、かつ、紙切れ信号がＯＦＦ、かつ、リジェクト信号がＯＮ、かつ、スタバン信号ががＯＮである区間、すなわち、区間Ｅ１でカウントされた印刷用紙の数量になる。
【００４９】
このように、損紙の発生要因ごとに損紙発生条件を定めれば、損紙発生条件が成立したときの損紙の数量を自動的にカウントでき、作業の改善等にフィードバックすることができる。
【００５０】
なお、作業台３１もしくは生産管理システム３２から入力された生産予定数量にカウントされた損紙の総数量を加えても、使用した印刷用紙の総数量に達しない場合がある。これは、オペレータが印刷物の品質を確認する為の抜き取りや、損紙発生条件が設定されていない発生要因によって損紙が発生しているためであり、使用数量−（生産予定数量＋損紙の総数量）で算出される印刷用紙の数量は、その他の損紙として計上するとよい。
【００５１】
また、図１のオフセット輪転印刷機２には図示していないが、絵柄検査装置がオフセット輪転印刷機２に備えられているときは、絵柄検査装置が不良と判断たときに発信する信号を、員数カウント装置１に入力すれば、絵柄検査装置が不良とした印刷物の数量もカウントすることができる。
【００５２】
更に、本実施の形態においては、員数カウント装置１に入力される正紙の数量を、作業台もしくは生産管理システム３２から入力された生産予定数量としているが、特許文献１の技術を利用して、スタバン２８で結束された印刷用紙の数量またはパレタイズされた印刷用紙の数量を、員数カウント装置１に入力し、これらの数量から員数カウント装置１が正紙の数量を取得することもできる。
【図面の簡単な説明】
【００５３】
【図１】員数カウント装置を備えたオフセット輪転印刷機を説明する図。
【図２】オフセット印刷の一連の工程で発生する損紙を説明するための図。
【図３】員数カウント装置のブロック図。
【図４】損紙振分け条件表１１０の一例を示した図。
【図５】印刷用紙の総数量をカウントするラダー図の一例。
【図６】ブランケット洗浄損紙をカウントするラダー図の一例。
【図７】印刷用紙の総数量刷了損紙、刷り出し損紙などをカウント内容を説明する図。
【符号の説明】
【００５４】
１  員数カウント装置
１０  演算部
１１  プログラム部
１１０  損紙振分け条件表
１２  入力インターフェース
１３  出力インターフェース
２  オフセット輪転印刷機
２５  折部
２５ａ  折胴
２６  コンベア
２８  スタッカーバンドラー（スタバン）
３４  ブランケット洗浄装置
３５  折胴の回転を検出するエンコーダ
【図１】
2007152771.tif 000003
【図２】
2007152771.tif 000004
【図３】
2007152771.tif 000005
【図４】
2007152771.tif 000006
【図５】
2007152771.tif 000007
【図６】
2007152771.tif 000008
【図７】
2007152771.tif 000009